(57)【要約】【課題】従来の天窓開口部に害虫侵入防止用のネットを設け、このネットを天窓の開閉時に張装及び／又は折畳み可能とした構成では、ネットの簡易な取付け及び／又は張装・折畳み等に纏わる弊害解消を意図するに留まる。従って、天窓の開閉と、この天窓の開口時に関する虫の手当て及び／又は換気扇による強制換気に関する総合的な発明でない。【構成】天井に排気及び／又は吸込用の天窓を設けてなるハウスにおいて、ハウスの棟方向及び／又はその近傍の棟方向に向かって換気扇を配備し、このハウスの棟方向に防虫ネットを張装し、換気扇でハウスの内気の排気及び／又は外気の吸込を図りつつ、防虫ネットで害虫のハウス内への侵入防止と、益虫のハウスからの逃避防止を図る防虫ネット付の天窓を備えた建屋の構造である。【選択図】図１−１
2007159539.tif 000002
【特許請求の範囲】
【請求項１】
天井に排気及び／又は吸込用の天窓を設けてなるハウス、温室等の建屋において、
前記建屋の棟方向及び／又はその近傍の棟方向に向かって換気扇を配備するとともに、この建屋の棟方向に防虫ネットを張装し、この換気扇で当該建屋の内気の排気及び／又は外気の吸込を図りつつ、前記防虫ネットで害虫の建屋内への侵入防止と、益虫の建屋からの逃避防止を図ることを特徴とした防虫ネット付の天窓を備えた建屋の構造。
【請求項２】
請求項１に記載の換気扇は、前記建屋の内気の排気及び／又は外気の吸込を効率的に図り、かつ前記建屋の棟方向において、略均一な内気の排気及び／又は外気の吸込を図ることを特徴とした防虫ネット付の天窓を備えた建屋の構造。
【請求項３】
請求項１に記載の換気扇は、前記天窓に設ける構成であって、当該換気扇がこの天窓の開閉と同時に昇降し、少なくとも天窓の開口部の遮蔽を回避できることを特徴とした防虫ネット付の天窓を備えた建屋の構造。
【請求項４】
請求項１に記載の換気扇を、前記建屋の棟方向に設けるに際し、所定の長さの換気扇を複数基設けることを特徴とした防虫ネット付の天窓を備えた建屋の構造。
【請求項５】
請求項４に記載の換気扇が、クロスフローファンであることを特徴とした防虫ネット付の天窓を備えた建屋の構造。
【発明の詳細な説明】
【技術分野】
【０００１】
本発明は、防虫ネット付の天窓を備えた建屋の構造に関する。
【背景技術】
【０００２】
従来、防虫ネット付の天窓を備えた建屋では、天窓の開放時に、内気を排気するとももに、外気の吸込を図る。しかし、この天窓に防虫ネットが張装されている構成では、前記排気量及び／又は吸込量が不足することが知られている。この排気量及び／又は吸込量の不足に起因する高温障害及び／又は熱エネルギーのアンバランス、光合成の劣化、又は生育不良等の弊害が発生する。従って、この種の防虫ネット付の天窓の換気に関する対策が急務と考えられるが、昨今の状況では、充分な対策が取られていないのが現況である。
【０００３】
尚、防虫ネット付の天窓に関しては、次のような先行文献が挙げられるが、何れの先行文献も、換気扇を備えた構成とはなっていないので、前記の対策とは考えられない。また建屋の天井に換気扇を付設した先行文献も合わせて列挙するが、この文献は天窓を備えた構成とはなっていない。
【０００４】
先ず、防虫ネット付の天窓に関しては、文献（１）の特開２００５−６５５９２の「農業用ハウス」と、文献（２）の特開２００４−１８７５７８の「温室天窓用害虫侵入防止装置及び温室」等がある。この発明は、天窓開口部に害虫侵入防止用のネットを設け、このネットを天窓の開閉時に張装及び／又は折畳み可能とした構成であり、この種のネットの簡易な取付け及び／又は張装・折畳み等に纏わる弊害解消を意図する。
【０００５】
また天井に換気扇を付設した構成に関しては、文献（３）の特開平５−３０８８５７号の「植物栽培温室」がある。この発明は、天井の近傍に換気扇を付設し、温室内の植物に直接外気を当てることを回避しつつ、温室内の清浄化及び／又は生育環境の確保を図ることを意図する。
【０００６】
【特許文献１】特開２００５−６５５９２
【特許文献２】特開２００４−１８７５７８
【特許文献３】特開平５−３０８８５７号
【発明の開示】
【発明が解決しようとする課題】
【０００７】
前述した文献（１）及び／又は（２）は、天窓開口部に害虫侵入防止用のネットを設け、このネットを天窓の開閉時に張装及び／又は折畳み可能とした構成であり、このネットの簡易な取付け及び／又は張装・折畳み等に纏わる弊害解消を意図するに留まる。従って、天窓の開閉と、この天窓の開口時に関する虫の手当て及び／又は換気扇による強制換気に関する総合的な発明でない。このようなことから、この文献（１）及び／又は（２）では、本発明が意図する「天窓からの排気量及び／又は吸込量の不足に起因する高温障害及び／又は熱エネルギーのアンバランス、光合成の劣化、又は生育不良等の弊害を解消する天窓構造」に関しては充分とは云えない。
【０００８】
また文献（３）は、天井の近傍に換気扇を付設し、温室内の植物に直接外気を当てる弊害の解消、また温室内の清浄化及び／又は生育環境の確保を図ることを意図するに留まる。従って、天窓の開閉と、この天窓の開口時に関する虫の手当て及び／又は換気扇による強制換気に関する総合的な発明でない。このようなことから、この文献（３）では、本発明が意図する前述の「各種の弊害を解消する天窓構造」に関しては充分とは云えない。
【課題を解決するための手段】
【０００９】
請求項１の発明は、天窓からの排気量及び／又は吸込量の不足に起因する高温障害及び／又は熱エネルギーのアンバランス、光合成の劣化、又は生育不良等の弊害を解消する天窓構造」を提供すること、また低コストで、かつ既設のハウス等の建屋に容易かつ特別な付帯設備を有することなく設置できること、又は天窓という狭いスペースに容易かつ特別な付帯設備を有することなく換気扇（送風機を含む）を設置すること等を意図する。
【００１０】
請求項１は、天井に排気及び／又は吸込用の天窓を設けてなるハウス、温室等の建屋において、
前記建屋の棟方向及び／又はその近傍の棟方向に向かって換気扇を配備するとともに、この建屋の棟方向に防虫ネットを張装し、この換気扇で当該建屋の内気の排気及び／又は外気の吸込を図りつつ、前記防虫ネットで害虫の建屋内への侵入防止と、益虫の建屋からの逃避防止を図ることを特徴とした防虫ネット付の天窓を備えた建屋の構造である。
【００１１】
請求項２の発明は、請求項１の目的を達成すること、この目的を達成するのに最適な換気扇を提供すること等を意図する。
【００１２】
請求項２は、請求項１に記載の換気扇が、前記建屋の内気の排気及び／又は外気の吸込を効率的に図り、かつ前記建屋の棟方向において、略均一な内気の排気及び／又は外気の吸込を図ることを特徴とした防虫ネット付の天窓を備えた建屋の構造である。
【００１３】
請求項３の発明は、請求項１の目的を達成すること、この目的を達成するのに最適で、その取付け位置を確保できる換気扇を提供すること等を意図する。
【００１４】
請求項３は、請求項１に記載の換気扇を、前記天窓に設ける構成であって、当該換気扇がこの天窓の開閉と同時に昇降し、少なくとも天窓の開口部の遮蔽を回避できることを特徴とした防虫ネット付の天窓を備えた建屋の構造である。
【００１５】
請求項４の発明は、請求項１の目的を達成すること、この目的を達成し、かつこの天窓に取付けるのに最適な換気扇を提供すること等を意図する。
【００１６】
請求項４は、請求項１に記載の換気扇を、前記建屋の棟方向に設けるに際し、所定の長さの換気扇を複数基設けることを特徴とした防虫ネット付の天窓を備えた建屋の構造である。
【００１７】
請求項５の発明は、請求項４の目的を達成すること、この目的を達成し、かつこの天窓に取付けるのに最適で経済的な構造の換気扇を提供すること等を意図する。
【００１８】
請求項５は、請求項４に記載の換気扇が、クロスフローファンであることを特徴とした防虫ネット付の天窓を備えた建屋の構造である。
【発明の効果】
【００１９】
請求項１の発明は、天井に排気及び／又は吸込用の天窓を設けてなるハウス、温室等の建屋において、
建屋の棟方向及び／又は近傍の棟方向に向かって換気扇を配備するとともに、建屋の棟方向に防虫ネットを張装し、換気扇で建屋の内気の排気及び／又は外気の吸込を図りつつ、防虫ネットで害虫の建屋内への侵入防止と、益虫の建屋からの逃避防止を図ることを特徴とした防虫ネット付の天窓を備えた建屋の構造である。
【００２０】
従って、請求項１は、天窓からの排気量及び／又は吸込量の不足に起因する高温障害及び／又は熱エネルギーのアンバランス、光合成の劣化、又は生育不良等の弊害を解消する天窓構造」を提供できること、また低コストで、かつ既設のハウス等の建屋に容易かつ特別な付帯設備を有することなく設置できること、又は天窓という狭いスペースに容易かつ特別な付帯設備を有することなく換気扇（送風機）を設置できること等の特徴を有する。
【００２１】
請求項２の発明は、請求項１に記載の換気扇が、建屋の内気の排気及び／又は外気の吸込を効率的に図り、かつ建屋の棟方向において、略均一な内気の排気及び／又は外気の吸込を図ることを特徴とした防虫ネット付の天窓を備えた建屋の構造である。
【００２２】
従って、請求項２は、請求項１の目的を達成できること、この目的を達成するのに最適な換気扇を提供できること等の特徴を有する。
【００２３】
請求項３の発明は、請求項１に記載の換気扇を、天窓に設ける構成であって、換気扇が天窓の開閉と同時に昇降し、少なくとも天窓の開口部の遮蔽を回避できることを特徴とした防虫ネット付の天窓を備えた建屋の構造である。
【００２４】
従って、請求項３は、請求項１の目的を達成できること、この目的を達成するのに最適で、その取付け位置を確保できる換気扇を提供できること等の特徴を有する。
【００２５】
請求項４の発明は、請求項１に記載の換気扇を、建屋の棟方向に設けるに際し、所定の長さの換気扇を複数基設けることを特徴とした防虫ネット付の天窓を備えた建屋の構造である。
【００２６】
従って、請求項４は、請求項１の目的を達成できること、この目的を達成し、かつこの天窓に取付けるのに最適な換気扇を提供できること等の特徴を有する。
【００２７】
請求項５の発明は、請求項４に記載の換気扇が、クロスフローファンであることを特徴とした防虫ネット付の天窓を備えた建屋の構造である。
【００２８】
従って、請求項５は、請求項４の目的を達成できること、この目的を達成し、かつこの天窓に取付けるのに最適で経済的な構造の換気扇を提供できること等の特徴を有する。
【発明を実施するための最良の形態】
【００２９】
本発明の一例を説明する。
先ず、図１−１〜図２に示した第一の実施例を説明すると、図１−１は換気扇（例えば、クロスフローファンが望ましい）の取付けの一例を示した斜視図、図１−２は図１−１の要部の骨格図、また図２はハウス（温室、工場等の建屋を含む）への設置状態を示した模式図である。この例における換気扇１は、筒状の左右側板１００、１０１と、この左右側板１００、１０１に差渡された複数枚の湾状の細幅ブレード１０２（羽根車）と、この左右側板１００、１０１と細幅ブレード１０２を支持する回転軸１０３と、この回転軸１０３を駆動するモータ１０４で構成する。またこの換気扇１はガイドウォール２を介してハウスＨの天窓Ｈ１に付設し、このガイドウォール２には細幅ブレード１０２を介してスタピライザー３を配備する。そして、この例では、換気扇１は天窓Ｈ１に取付けられており、この天窓Ｈ１をガイドウォール２として利用する（一体構造）。またこの例では、このガイドウォール２（代替する天窓）及び／又はスタピライザー３と細幅ブレード１０２で形成される空間が換気扇１の強制排気通路５（図示しないが、場合により、強制吸気通路にする例もあり得る）となり、本来の天窓Ｈ１からの開口部Ｈ２の吸排気通路５０とは区画して設け、狭い設置スペースで所定の排気量又は吸込量を確保すること、又はこの換気扇１を使用しない場合でも本来の天窓Ｈ１としての役割を担えることが可能な構成とする。そして、この実施例では、換気扇１の小型化、天窓Ｈ１への負担の軽減、又は省資源化、維持管理・栽培価格等の如く、全てのコストの低廉化、或いは環境維持等の目的達成に有効である。尚、天窓Ｈ１に換気扇１及び／又はガイドウォール２、スタピライザー３等を取付ける場合に、ブラケット等の支持手段で取付ける場合もあり得る。例えば、天窓Ｈ１に跡付け又は交換する場合等に有益である（他の例も同じ）。
【００３０】
勿論、ハウスＨ及び／又は作物等の状況や、気候、ハウスＨの地形、天窓Ｈ１の構造等を考慮し、天窓Ｈ１の略全体の開口部Ｈ２に相当した大きさの換気扇（図示の換気扇１の大型版）を付設することは可能である。
【００３１】
以上のようなに換気扇１の強制排気通路５及び／又は開口部Ｈ２の吸排気通路５０からの内気の排気量を確保することで（図示しないが、場合により、強制吸気通路等を介して外気をハウスＨ内に吸気し、吸気量を確保する例もあり得る）、例えば、前述の如く、ハウスＨの高温弊害の解消と、その生育環境の確保が図れること、また収穫量の拡充と、作物の品質の向上及び／又は病気の撲滅等に寄与できる。そして、この換気扇１を可動した場合による風の流れの一例を図１−２に示した。具体的には、風は矢印「イ」で示す換気扇１の強制排気通路５、及び／又は矢印「ロ」で示す開口部Ｈ２の吸排気通路５０から排気される。
【００３２】
また一方で、天窓Ｈ１を開放し、外気を吸込む場合においては、原則として、この換気扇１を可動しない。従って、外気は、原則として開口部Ｈ２の吸排気通路５０から吸込まれる構成である。しかし、換気扇１の強制排気通路５は、この天窓Ｈ１の開放により開口されているので、この強制排気通路５を介して一部は吸込まれる構成であり、吸込量は確保される構造となっている。
【００３３】
図中７は天窓Ｈ１とハウスＨとの間の開口部Ｈ２に設けた防虫ネットを示しており、天窓Ｈ１の開閉で折畳み等の処理が行われる。また開口部Ｈ２の全体を囲繞する構成であり、折畳み時に、換気扇１が邪魔にならない構成、又は防虫ネット７を損傷しない構成とする。
【００３４】
次に、図３−１〜図４に示した第二の実施例を説明すると、図３−１は換気扇（例えば、クロスフローファンが望ましい）の取付けの一例を示した斜視図、図３−２は図３−１の要部の骨格図、また図４はハウスへの設置状態を示した模式図である。この例における換気扇１は、前述の第一の実施例と同様であるので、説明は省略する。そして、この例では、換気扇１は天井Ｈ３の一部で、開口部Ｈ２に差渡して取付けられており、この例では、このガイドウォール２及び／又はスタピライザー３と細幅ブレード１０２で形成される空間が換気扇１の強制排気通路５となり、本来の天窓Ｈ１からの開口部Ｈ２の吸排気通路５０とは区画して設け、開口部Ｈ２の一部を割愛して所定の排気量又は吸込量を確保すること、又はこの換気扇１を使用しない場合でも本来の天窓Ｈ１としての役割を担えることが可能な構成とする。その他は前述の例に準ずる。
【００３５】
以上のような換気扇１の強制排気通路５及び／又は開口部Ｈ２の吸排気通路５０からの内気の排気量を確保することで、例えば、前述の如く、ハウスＨの高温弊害の解消と、その生育環境の確保が図れること、また収穫量の拡充と、作物の品質の向上及び／又は病気の撲滅等に寄与できる。そして、この換気扇１を可動した場合による風の流れの一例を図３−２に示した。具体的には、風は矢印「ハ」で示す換気扇１の強制排気通路５、及び／又は矢印「ニ」で示す開口部Ｈ２の吸排気通路５０から排気される。
【００３６】
そして、第三の実施例〜第五の実施例における前記のハウスＨの高温弊害の解消を説明する。この高温弊害の解消は、主として作物の近辺の高温内気の低下を図ることが望ましい。そのためにはハウスＨの天井Ｈ３の高温空気を積極的に、このハウスＨ外に排気することで有効である。例えば、図５−１の如く、側面Ｈ４（壁面）の側面開口Ｈ５に設けた吸込用の換気扇８を介して外気を吸込むことで、作物の近辺の高くなった空気（高温内気）を積極的に、天井Ｈ３に送り、換気扇１の強制排気通路５及び／又は開口部Ｈ２の吸排気通路５０を介してハウスＨ外に排気する。図中８０は排気用の換気扇を示す。尚、図５−２の如く、換気扇１を一基のモータ１０４で駆動する構成とし、装置の簡略化・小型化及び／又は駆動電力の軽減化、又は環境破壊の防止等に役立てることも可能である（他の例も同じ）。また図６の如く、ハウスＨの側面開口Ｈ５より外気を吸込むことで、作物の近辺の高温内気を積極的に、天井Ｈ３に送り、前述と同様にハウスＨ外に排気する。また図７の如く、ハウスＨの谷部開口Ｈ６より外気を吸込むことで、作物の近辺の高温内気を積極的に、天井Ｈ３に送り、前述と同様にハウスＨ外に排気する。尚、側面開口Ｈ５等に換気扇８等を設けることが望ましいが、必ずしも限定されない。
【００３７】
また一方で、天窓Ｈ１を開放し、外気を吸込む場合においては、原則として、この換気扇１を可動しない。従って、外気は、原則として開放された一部の開口部Ｈ２の吸排気通路５０から吸込まれる構成である。しかし、換気扇１の強制排気通路５は、この天窓Ｈ１の開放により開口されているので、この強制排気通路５を介して一部は吸込まれる構成であり、吸込量は確保される構造となっている。
【００３８】
そして、換気扇１はハウスＨの棟方向に向かって、所定の台数を設置する構成及び／又は一体型の長尺の構造の換気扇１を取付ける構成等の場合がある。この各例とも、前述の如く、天窓Ｈ１への負担の軽減、又は省資源化、維持管理・栽培価格等の面、また全てのコストの低廉化、或いは環境維持等の目的達成により決定される。
【図面の簡単な説明】
【００３９】
【図１−１】図１−１は第一の実施例の換気扇の取付けの一例を示した斜視図
【図１−２】図１−２は図１−１の要部の骨格図
【図２】図２はハウスへの設置状態を示した要部の模式図
【図３−１】図３−１は第二の実施例の換気扇の取付けの一例を示した斜視図
【図３−２】図３−２は図３−１の要部の骨格図
【図４】図４はハウスへの設置状態を示した要部の模式図
【図５−１】図５−１はハウスへの設置状態の他の一例を示した全体の断面縮尺模式図
【図５−２】図５−２は図５−１のハウスへの他の設置状態の他の一例を示した全体の断面縮尺模式図
【図６】図６はハウスへの設置状態のさらに他の一例を示した一部欠截の全体の縮尺模式図
【図７】図７はハウスへの設置状態のさらに別の一例を示した一部欠截の全体の縮尺模式図
【符号の説明】
【００４０】
１            換気扇
１００        側板
１０１        側板
１０２        細幅ブレード
１０３        回転軸
１０４        モータ
２            ガイドウォール
３            スタピライザー
５            強制排気通路
５０          吸排気通路
７            防虫ネット
８            換気扇
８０          換気扇
Ｈ            ハウス
Ｈ１          天窓
Ｈ２          開口部
Ｈ３          天井
Ｈ４          側面
Ｈ５          側面開口
Ｈ６          谷部開口
ＧＬ          地面
【図１−１】
2007159539.tif 000003
【図１−２】
2007159539.tif 000004
【図２】
2007159539.tif 000005
【図３−１】
2007159539.tif 000006
【図３−２】
2007159539.tif 000007
【図４】
2007159539.tif 000008
【図５−１】
2007159539.tif 000009
【図５−２】
2007159539.tif 000010
【図６】
2007159539.tif 000011
【図７】
2007159539.tif 000012